(57)【要約】      （修正有）【課題】  共通基板を基板ケースのベース部材に装着した状態で、種類別基板のみを交換することが可能である遊技機の制御装置を提供する。【解決手段】  遊技機の制御装置は、底面部と側壁部１２ａ、１２ｂ、１２ｃ、１２ｄが設けられたベース部材１を備える基板ケースに、共通基板２１と種類別基板２２とがコネクタ部２３によって着脱可能に接続された制御基板２が収納され、制御基板２の表面がベース部材１の側壁部１２ａ、１２ｂ、１２ｃ、１２ｄの上縁と同一若しくは上縁よりも底面側に位置するように、制御基板２がベース部材１に対して取り付けられ、種類別基板２１のコネクタ部２３と反対側の端縁となる基板外方端縁２９と対向するべース部材の側壁部１２ｃが、種類別基板２２を共通基板２１に対してスライドさせて取り外すことが可能な形状に形成され、種類別基板２２を指で摘まみスライド可能とするための切り欠き６ａ、６ｂからなる指掛け部が設けられている。【選択図】  図４
2006129923.tif 000002
【特許請求の範囲】
【請求項１】
底面部と該底面部の周囲から立ち上がる側壁部が設けられ該側壁部に囲まれた部分が制御基板の設置部として形成されているベース部材を備える基板ケースに、複数種類の遊技機に共通的に使用可能な共通基板と各種類別の遊技機に特有の種類別基板とがコネクタ部によって着脱可能に接続された制御基板が収納される遊技機の制御装置であって、
共通基板と種類別基板の端縁に設けられたコネクタ部によって共通基板と種類別基板とが直接接続一体化されるように形成され、コネクタ部の接続方向がベース部材の底面と平行な方向であり、制御基板の表面がベース部材の側壁部の上縁と同一若しくは上縁よりも底面側に位置するように制御基板がベース部材に対して取り付けられ、
種類別基板のコネクタ部と反対側の端縁となる基板外方端縁と対向するべース部材の側壁部が、種類別基板を共通基板に対してスライドさせて取り外すことが可能な形状に形成され、種類別基板を指で摘まみスライド可能とするための指掛け部が設けられていることを特徴とする遊技機の制御装置。
【請求項２】
種類別基板の基板外方端縁に対向するべース部材の側壁部が、種類別基板のスライドを妨げないように少なくとも当該位置が削除された形状であるか、若しくは該側壁部と種類別基板の基板外方端縁との間に種類別基板のスライドが可能な空間が形成される位置に設けられている請求項１記載の遊技機の制御装置。
【請求項３】
指掛け部が、種類別基板の基板外方端縁に隣接する両側端縁に設けた把持用の切り欠きから構成される請求項１又は２記載の遊技機の制御装置。
【請求項４】
指掛け部が、種類別基板の基板外方端縁に隣接する両側端縁とベース部材の前記両側端縁と対向する各側壁部との間に形成された把持用の空間から構成される請求項１又は２記載の遊技機の制御装置。
【請求項５】
指掛け部が、種類別基板の基板外方端縁に隣接する一方の端縁に設けた把持用の切り欠きと、種類別基板の基板外方端縁に隣接する他方の端縁とベース部材の前記他方の端縁と対向する側壁部との間に形成された把持用の空間とから構成される請求項１又は２記載の遊技機の制御装置。
【請求項６】
前記把持用の空間に隣接する種類別基板の把持用空間側端部に把持用の切り欠きが設けられている請求項４又は５記載の遊技機の制御装置。
【発明の詳細な説明】
【技術分野】
【０００１】
本発明は、パチンコ遊技機等の遊技機の電動役物や可変表示装置等の電気部品を制御する制御基板が基板ケース内に収納され、遊技機の裏面側に取り付けて利用される遊技機の制御装置に関する。
【背景技術】
【０００２】
遊技機の電動役物や可変表示装置等の電気部品を制御する制御基板は、回路基板にＲＯＭ、ＲＡＭ、ＣＰＵ等の電子部品が実装されている。この電子部品が実装された制御基板は、基板ケース内に収納された状態で遊技機に取り付けられている。
【０００３】
一方、遊技機においては複数種類の機種が存在する。前記電気部品も機種毎に異なり、複数種類存在するから、制御装置も各機種に応じた装置を準備する必要があった。
【０００４】
しかし、各機種毎に専用の制御装置を準備していたのでは、部品を共用できないために、コストが高くつくという欠点がある。
【０００５】
この問題を解消するために、遊技機の制御基板を複数に分割し、その少なくとも一つを複数種類の遊技機で共通的に使用できる共通部分とした制御装置が公知である（例えば特許文献１参照）。
【０００６】
特許文献１に記載された装置は、制御基板を共通回路基板と種類別回路基板とに分割し、両者をコネクタ部によって着脱自在に構成し、複数の回路基板が一体化された状態とした制御基板を一つの基板ケースに収納した状態で遊技機に取り付けるものである。
【０００７】
また遊技機の制御装置として、周囲に側壁が設けられ該側壁に囲まれた部分が基板の設置部として形成されているベース部材と、該ベース部材に固定されるカバー部材とから構成される基板ケースを用い、該基板ケースの設置部に制御基板を設置してなる構成が公知である（例えば特許文献２参照）。
【０００８】
【特許文献１】特公平６−２１８１号公報
【特許文献２】特開２００２−２７０３００号公報（図２）
【発明の開示】
【発明が解決しようとする課題】
【０００９】
上記特許文献１に記載の制御装置は、基板ケースに回路基板を取り付ける場合、周囲に回路基板の取り付けガイドとなるものが存在しないために、回路基板を取り付ける位置決めがしにくく、組み立て作業に手間がかかるという問題があった。
【００１０】
また上記特許文献２に記載の制御装置は、制御基板をベース部材の設置部に嵌め込むだけで、ベース部材に対する制御基板の取り付け位置決めされるために、組み立て作業が容易であるという利点がある。
【００１１】
しかしながら上記特許文献２に記載された制御装置は、制御基板を共通回路基板（以下、共通基板と言う）と種類別回路基板（以下、種類別基板という）とに分割形成し、両者をコネクタ部によって水平方向にスライドさせて着脱可能に構成した場合、ベース部材の周囲に側壁部が設けられているから、共通基板をベース部材に取り付けた状態では、種類別基板のみを水平方向にスライドさせて取り外すことは不可能である。種類別基板を取り外すには、共通基板と種類別基板とを接続一体化した制御基板をベース部材から取り外して基板ケースの外に出してから、コネクタ部をスライドさせて、制御基板の共通基板と種類別基板の接続を分離する必要がある。しかしながら、このような作業は非常に手間がかかる。
【００１２】
例えば中古の遊技機を回収し、その部品をリサイクルしようとした場合、制御回路のうち共通基板が利用できる。この場合、共通基板を基板ケースのベース部材に装着した状態で、種類別基板のみを交換することができれば、作業に手間がかからず、交換を容易に行うことができ、リサイクルの作業性が大きく向上する。
【００１３】
本発明は上記従来技術の欠点に鑑みなされたものであり、共通基板を基板ケースのベース部材に装着した状態で、種類別基板のみを交換することが可能であり、種類別基板の交換の際に基板の位置決めが容易であり、種類別基板の交換の手間がかからない遊技機の制御装置を提供することを目的とする。
【課題を解決するための手段】
【００１４】
本発明は、
（１）底面部と該底面部の周囲から立ち上がる側壁部が設けられ該側壁部に囲まれた部分が制御基板の設置部として形成されているベース部材を備える基板ケースに、複数種類の遊技機に共通的に使用可能な共通基板と各種類別の遊技機に特有の種類別基板とがコネクタ部によって着脱可能に接続された制御基板が収納される遊技機の制御装置であって、共通基板と種類別基板の端縁に設けられたコネクタ部によって共通基板と種類別基板とが直接接続一体化されるように形成され、コネクタ部の接続方向がベース部材の底面と平行な方向であり、制御基板の表面がベース部材の側壁部の上縁と同一若しくは上縁よりも底面側に位置するように制御基板がベース部材に対して取り付けられ、種類別基板のコネクタ部と反対側の端縁となる基板外方端縁と対向するべース部材の側壁部が、種類別基板を共通基板に対してスライドさせて取り外すことが可能な形状に形成され、種類別基板を指で摘まみスライド可能とするための指掛け部が設けられていることを特徴とする遊技機の制御装置、
（２）種類別基板の基板外方端縁に対向するべース部材の側壁部が、種類別基板のスライドを妨げないように少なくとも当該位置が削除された形状であるか、若しくは該側壁部と種類別基板の基板外方端縁との間に種類別基板のスライドが可能な空間が形成される位置に設けられている上記（１）記載の遊技機の制御装置、
（３）指掛け部が、種類別基板の基板外方端縁に隣接する両側端縁に設けた把持用の切り欠きから構成される上記（１）又は（２）記載の遊技機の制御装置、
（４）指掛け部が、種類別基板の基板外方端縁に隣接する両側端縁とベース部材の前記両側端縁と対向する各側壁部との間に形成された把持用の空間から構成される上記（１）又は（２）記載の遊技機の制御装置、
（５）指掛け部が、種類別基板の基板外方端縁に隣接する一方の端縁に設けた把持用の切り欠きと、種類別基板の基板外方端縁に隣接する他方の端縁とベース部材の前記他方の端縁と対向する側壁部との間に形成された把持用の空間とから構成される上記（１）又は（２）記載の遊技機の制御装置、
（６）前記把持用の空間に隣接する種類別基板の把持用空間側端部に把持用の切り欠きが設けられている上記（４）又は（５）記載の遊技機の制御装置、
を要旨とする。
【発明の効果】
【００１５】
本願発明の遊技機の制御装置は、種類別基板のコネクタ部と反対側の端縁となる基板外方端縁と対向するべース部材の側壁部が、種類別基板を共通基板に対してスライドさせて取り外すことが可能な形状に形成され、種類別基板を指で摘まみスライド可能とするための指掛け部が設けられている構成を採用したことにより、共通基板を基板ケースに装着した状態で、種類別基板のみを交換することが可能であり、種類別基板を交換する際に位置決めが容易であり種類別基板の交換作業の手間がかからないという効果を奏する。例えば本発明制御装置を備える遊技機の中古機を回収し、該遊技機の制御装置をリサイクルする際に、種類別基板を新機種の基板に変更する交換作業を極めて容易に行うことができる。
【００１６】
本発明の遊技機の制御装置において、種類別基板の基板外方端縁に対向するべース部材の側壁部が、種類別基板のスライドを妨げないように少なくとも当該位置が削除された形状であるか、若しくは該側壁部と種類別基板の基板外方端縁との間に種類別基板のスライドが可能な空間が形成される位置に設けた場合、種類別基板をスライドさせて取り外す際に確実に取り外し作業を行うことができる。
【００１７】
本発明の遊技機の制御装置において、指掛け部が、種類別基板の基板外方端縁に隣接する両側端縁に設けた把持用の切り欠きから構成した場合、種類別基板をスライドさせて交換する際に、把持用の切り欠きからなる指掛け部に指を引っ掛けて把持することで指先が滑ることを防止して、確実に指を掛けて基板を引き抜くことができるから、ベース部材から種類別基板のみを取り外すことが更に容易となり、交換作業を容易且つ確実に行うことができる。
【００１８】
本発明の遊技機の制御装置において、指掛け部が、種類別基板の基板外方端縁に隣接する両側端縁とベース部材の前記両側端縁と対向する各側壁部との間に形成された把持用の空間から構成されている場合、種類別基板をスライドさせて交換する際に把持用の空間により指を確実に挿入して基板に確実に指を掛けてスライドさせることができるから、種類別基板の交換作業を容易且つ確実に行うことができる。
【００１９】
更に把持用の空間が設けられている場合、制御基板の指による把持が容易となるのに加えて、制御基板がベース部材の設置部に設置した際に把持用の空間が制御基板の周囲にスペースとして形成されるため、種類別基板等の制御基板の取り付けや取り外しの作業がし易い。また種類別基板の寸法が機種によって変化した場合であっても、把持用の空間が種類別基板の寸法変化に対応できるから、幅広い機種に対応することが可能である。
【００２０】
本発明の遊技機の制御装置において、指掛け部が、種類別基板の基板外方端縁に隣接する一方の端縁に設けた把持用の切り欠きと、種類別基板の基板外方端縁に隣接する他方の端縁とベース部材の前記他方の端縁と対向する側壁部との間に形成された把持用の空間とから構成されている場合、種類別基板をスライドさせて交換する際に把持用の切り欠きと把持用の空間とからなる指掛け部に確実に指を掛けることができるから、種類別基板の交換作業を容易且つ確実に行うことができる。
【００２１】
本発明の遊技機の制御装置において、前記把持用の空間に隣接する種類別基板の把持用空間側端部に把持用の切り欠きが設けられている場合、種類別基板をスライドさせて交換する際に把持用の切り欠きからなる指掛け部に確実に指を掛けることができるから、種類別基板の交換作業を容易且つ確実に行うことができる。
【発明を実施するための最良の形態】
【００２２】
以下、本発明の実施例を図面を用いて詳細に説明する。図１〜図４に本発明の第一実施例を示す。図１（ａ）は基板ケースを構成するベース部材の平面図であり、図１（ｂ）は（ａ）の斜視図である。図２は制御基板を示し、（ａ）は分解斜視図であり、（ｂ）は（ａ）の接続状態を示す平面図である。図３は制御装置をカバー部材側から見た分解斜視図である。図４はベース部材に制御基板を取り付けた状態を示し、（ａ）は種類別基板を共通基板に対する接続を解除した状態を示す平面図であり、（ｂ）は種類別基板を共通基板に接続した状態を示す平面図である。
【００２３】
第一実施例の遊技機の制御装置は、図１（ａ）、（ｂ）に示すように矩形トレー状に形成されているベース部材１に、図２（ａ）、（ｂ）に示すように複数種類の遊技機に共通的に使用可能な共通基板２１と各種類別の遊技機に特有の種類別基板２２とがコネクタ部２３により着脱可能に接続一体化されている制御基板２が取り付けられ、図３に示すように制御基板２が設置されたベース部材１に制御基板２を覆い該基板を保護するためのカバー部材３が取り付けられてる。すなわち第一実施例では、制御基板２がベース部材１とカバー部材３とからなる基板ケース内に収納された状態での制御装置を構成している。
【００２４】
ベース部材１は、図１（ａ）、（ｂ）に示すように矩形状の底面部１１と該底面部１１の周囲から立ち上がる側壁部１２ａ、１２ｂ、１２ｃ、１２ｄとから構成され、全体の形状が矩形トレー状に形成されている。ベース部材１の側壁部１２ａ、１２ｂ、１２ｃ、１２ｄにより画成された開口領域が制御基板２の設置部として形成されている。更に同図に示すように、図中右側となるベース部材１の長手方向の一方の端部側の両隅の部分に、共通基板２１をベース部材１に設置する際の位置決めに利用される位置決めボス1４ａ、１４ｂが設けられている。また、矩形状のベース部材１の長辺の中央よりも前記位置決めボス1４ａ、１４ｂを設けた端部側と反対側の端部寄りに、共通基板２１と種類別基板２２のコネクタ部２３側の端部が載る台座となる台座ボス１５ａ、１５ｂが、矩形状のベース部材１の長辺側となる側壁部１２ａ、１２ｂに隣接し対向する位置に設けられている。
【００２５】
制御基板２はベース部材１に設置した際に、図３に示すようにベース部材１の側壁部１２ａ、１２ｂ、１２ｃ、１２ｄの上端に対して、制御基板２の表面が同一の高さになるか、あるいは制御基板２の表面が低くなる位置に、位置決めボス１４ａ、１４ｂ及び台座ボス１５ａ、１５ｂによって支持されて、底面部１１から所定の高さに取り付けられる。
【００２６】
位置決めボス１４ａ、１４ｂ及び台座ボス１５ａ、１５ｂの形状は、制御基板２を設置した際に、図３に示すようにベース部材１の側壁部１２ａ、１２ｂ、１２ｃ、１２ｄの上端に対して、制御基板２の表面が、同一の高さになるか、あるいは制御基板２の表面が低くなるように設計されている。なお「制御基板２の表面」とは、基板の板面の表面のことであり、実装されている部品が側壁部よりも高くてもよい。
【００２７】
図２（ａ）に示すように共通基板２１には、ＣＰＵ２４、ＲＯＭ（Ａ）２５、ＲＡＭ２６、コネクタ部品（Ａ）２３ａが実装されている。ＲＯＭ（Ａ）２５にはコマンド受信用プログラムやモータ制御プログラム等の遊技機の種類の異なる複数の機種間で流用できる汎用性の高いプログラム等が記憶されている。また共通基板２１の長手方向の一端部側の両隅には、ベース部材１の位置決めボス１４ａ、１４ｂに対応する位置に、該位置決めボス１４ａ、１４ｂの先端が係合する、貫通孔からなる位置決め孔１７ａ、１７ｂが設けられている。また共通基板２１の位置決め孔１７ａ、１７ｂ側の長手方向端部には、ハーネス等を介して他の制御基板と接続するための通信コネクタ２８が実装されている。このコネクタの接続方向は、制御基板の板面に対して垂直方向に差込むように形成されている。
【００２８】
また図２（ａ）に示すように種類別基板２２には、ＲＯＭ（Ｂ）２7、コネクタ部品（Ｂ）２３ｂが実装されている。ＲＯＭ（Ｂ）２7には、画像データ、音声データ、ランプ発光データ、モータ制御データ等の遊技機の各機種毎に変更されるデータ及びプログラムが記憶されている。
【００２９】
制御基板２のコネクタ部２３は、共通基板２１の端縁に設けたコネクタ部品（Ａ）２３ａと種類別基板２２の端縁に設けたコネクタ部品（Ｂ）２３ｂとが直接差込まれて接続されるように構成されている。共通基板２１と種類別基板２２の端縁に設けられたコネクタ部２３の接続方向は、ベース部材１の底面部１１と平行な方向である。図２（ｂ）に示すように、コネクタ部品（Ａ）２３ａとコネクタ部品（Ｂ）２３ｂとがハーネス等を介さずに直接接続することで、共通基板２１と種類別基板２２とが接続一体化された制御基板２が構成される。
【００３０】
図３に示すように、基板ケースを構成するカバー部材３は、前記ベース部材１の開口領域を覆う矩形バケット形状に形成されている。またカバー部材３は、共通基板２１に実装した通信コネクタ２８に対応する位置に、基板ケース４内部の共通基板２１と他の制御装置（特に図示しない）とをハーネス等で接続可能とするための接続用窓３１が開口している。また図３に示すように、カバー部材３には、制御基板２の熱を外部に放熱するための多数の貫通孔からなる放熱孔３２が設けられている。またカバー部材３の周縁部には、ベース部材１の係合片１６にスライド係合させて、該カバー部材３をベース部材１に固定保持するための係合部３３が設けられている。
【００３１】
共通基板２１の大きさは、図４（ａ）に示すように、基板面の短手方向（図中上下方向）の長さが、ベース部材１の側壁部の短手方向の長さ（図４（ａ）において側壁部１２ａと１２ｂとの間の長さ）とほぼ同じであり、基板面の長手方向（図中左右方向）の長さが、ベース部材１の位置決めボス１４ａ、１４ｂ側の側壁部１２ｄから台座ボス１５ａ、１５ｂまでの長さと略同じ長さに形成されている。
【００３２】
種類別基板２２の大きさは、ベース部材１に設置した状態で、共通基板２１から種類別基板２２をスライドさせて取り外すことが可能な形状に形成されている。種類別基板２２のスライド方向と直交する方向の長さは、図４（ａ）、（ｂ）に示すように、共通基板２１の大きさと同じ大きさである、ベース部材１の側壁部の短手方向の長さと同じ大きさに形成されている。
【００３３】
このように形成されたベース部材１に制御基板２を設置するので、ベース部材１に設けた位置決めボス１４ａ、１４ｂによって、共通基板２１は底面１１と平行な水平方向へ動かないように位置が固定される。また制御基板２をベース部材１に設置した際に、図３に示すようにベース部材１の側壁部１２ａ、１２ｂ、１２ｃ、１２ｄの上端に対して、制御基板２の表面が同一の高さになるか、あるいは制御基板の表面が低くなるよう側壁部を構成したので、種類別基板２２はベース部材１の短手方向への移動が規制される。
【００３４】
図４（ｂ）において、種類別基板２２のスライド方向の長さは、種類別基板２２のコネクタ部２３側の端縁となる基板内方端縁３０から種類別基板２２のコネクタ部２３とは反対側の端縁となる基板外方端縁２９までの距離ｔ１として示される。この長さは、コネクタ部２３を接続した状態で、ベース部材１に制御基板２を設置した際の種類別基板２２の基板内方端縁３０から該種類別基板２２の基板外方端縁２９と対向する基板ケースの側壁部１２ｃまでの距離ｔ２よりも、コネクタ部２３の差込幅となる距離ｔ３分だけ小さくなるように形成されている。
【００３５】
図４（ｂ）では便宜上、空間部分を斜線で示した。種類別基板が上記の大きさに形成されていることで、図４（ｂ）に示すように、側壁部１２ｃと種類別基板２２の基板外方端縁２９との間に、種類別基板２２をスライドさせてコネクタ部品２３ａ、２３ｂの着脱が可能な空間が形成される。
【００３６】
本発明の制御装置は、種類別基板を指で摘まみスライド可能とするための指掛け部が設けられている。図４（ａ）、（ｂ）に示す制御装置における指掛け部は、図２（ａ）、（ｂ）に示すように種類別基板２２の基板外方端縁２９に隣接する両側端縁（種類別基板２２のスライド方向と直交する方向の両端縁）に設けた把持用の切り欠き６ａ、６ｂとして形成されている。把持用の切り欠き６ａ、６ｂの大きさは、種類別基板２２を指先で把持可能な程度の大きさに形成されていればよい。切り欠き６ａ、６ｂにより図４（ｂ）に斜線部分として示す空間が形成されるから、この空間に指を入れて種類別基板２２を親指と人差し指でしっかりと把持することができる。そして、把持した種類別基板２２を図中左方向の側壁部１２cのスライド用の空間１０方向に移動するようにスライドさせることで、コネクタ部２３のコネクタ部品（Ａ）２３ａ及びコネクタ部品（Ｂ）２３ｂの接続を解除し、そのまま上方に持ち上げることでベース部材1から種類別基板２２のみを取り外すことができる。
【００３７】
種類別基板２２を取り外した後に別の種類別基板を取り付ける場合は、上記手順と反対に、種類別基板２２の切り欠き６ａ、６ｂの部分を指で挟み、ベース部材１の空間部に嵌め込み、コネクタ部２３側にスライドさせてコネクタ部品（Ａ）２３ａ及びコネクタ部品（Ｂ）２３ｂを接続することで、種類別基板の交換が完了する。この場合、種類別基板２２のスライド方向と直交する方向の長さが、ベース部材１の側壁部１２ａと側壁部１２ｂとの間隔と同じ大きさに形成されていて嵌め込まれるから、コネクタ部の位置合わせは不要である。
【００３８】
ベース部材１に制御基板を取り付ける制御装置を組み立る場合、予め共通基板２１と種類別基板２２とが接合一体化した制御基板２の状態で取り付けても、あるいは、共通基板２１を先ずベース部材１に取り付け、次いで種類別基板２２を取り付けてもいずれでもよい。ベース部材１に制御基板２を取り付けたならば、カバー部材３をベース部材１の開口領域を覆うようにカバー部材３を取り付けて、制御装置が得られる。カバー部材３は、係合部３３がベース部材１の係合片１６に係合させることで、ベース部１に固定される。
【００３９】
本発明制御装置はベース部材１には側壁部１２ａ、１２ｂ、１２ｃ、１２ｄが設けられ、制御基板２の表面がベース部材１の側壁部１２ａ、１２ｂ、１２ｃ、１２ｄの上縁と同一若しくは上縁よりも底面側に位置するように形成されているから、ベース部材１に制御基板２を取り付ける際の位置決めは、ベース部材１の側壁部１２ａ、１２ｂ、１２ｃ、１２ｄに囲まれた設置部に制御基板２又は種類別基板２２を載置し、種類別基板２２の位置決め孔１７ａ、17ｂの部分をベース部材１の位置決めボス１４ａ、１４ｂの部分に係合させるだけでよく、その他の位置決め作業は不要であり、制御基板２のベース部材１への取り付けはきわめて容易で組み立て作業性が優れている。
【００４０】
図５及び図６は本発明の制御装置の第二実施例を示すものである。第二実施例の制御装置は、図５（ａ）、（ｂ）に示すように基板ケース及び共通基板の構成は第一実施例と同じとし、種類別基板の構成（大きさ）のみが異なるように構成してなる。第二実施例の制御装置の種類別基板２２は図５（ｂ）に示すように、コネクタ部２３のスライド方向と直交する方向の距離ｔ４が、対応するベース部材１の側壁部１２ａと側壁部１２ｂの間の距離ｔ５よりも短くなるように形成されている。その結果、制御基板２がベース部材１に設置された状態で、種類別基板２２の基板外方端縁２９に隣接する両側端縁３４ａ、３４ｂ（図６参照）とベース部材１の前記両側端縁３４ａ、３４ｂと対向する各側壁部１２ａ、１２ｂとの間に、夫々距離ｔ６、ｔ７の大きさに形成された把持用の空間７ａ、７ｂからなる指掛け部が形成される。
【００４１】
図６に示すように、把持用の空間７ａ、７ｂの、種類別基板２２と側壁部１２ａの間の距離ｔ６と、種類別基板２２と側壁部１２ｂの間の距離ｔ７が同じ長さになるように形成されている。前記距離ｔ６及び距離ｔ７は、把持用の空間７ａ、７ｂに指先を挿入して種類別基板２２を把持してスライドさせることが可能な大きさに形成されている。なお、種類別基板２２のスライド方向の長さは、図５（ｂ）に示す距離ｔ１、ｔ２、ｔ３が、第一実施例と同様の大きさに形成されている。
【００４２】
制御基板２の機種別基板２２を共通基板２１から取り外す場合、図５（ｂ）に示すように、把持用の空間７ａ、７ｂに指先を入れて機種別基板２２を把持し、スライド用の空間１０側にスライドさせることで、図５（ａ）に示すように、コネクタ部品（Ａ）２３ａ、コネクタ部品（Ｂ）２３ｂの接続を解除することができる。
【００４３】
図７及び図８は本発明の制御装置の第三実施例を示すものである。第三実施例の制御装置は、図７（ａ）、（ｂ）に示すように基板ケース及び共通基板の構成は第一実施例と同じとし、種類別基板の構成（大きさ）のみが異なるように構成してなる。第三実施例の制御装置の種類別基板２２は、図８に示すように種類別基板２２の基板外方端縁２９に隣接する一方の端縁３４ｂに把持用の切り欠き６ｂが設けられている。更に種類別基板２２の基板外方端縁２９に隣接する他方の端縁３４ａは、図７（ｂ）に示すように、ベース部材１の前記他方の端縁と対向する側壁部１２ａとの間に把持用の空間７ａが形成されるように構成されている。この把持用の切り欠き６ｂと把持用の空間７ａは、種類別基板２２を指で摘まみスライド可能とする指掛け部として設けられている。
【００４４】
図７（ｂ）に示すように、種類別基板２２はコネクタ部２３のスライド方向と直交する方向の長さは、コネクタ部品（Ｂ）２３ｂの端部から種類別基板２２の一方の端部までの距離ｔ９が、コネクタ部品（Ｂ）２３ｂの端部から対応するベース部材１の側壁部１２ａまでの距離ｔ８よりも短くなるように形成され、種類別基板２２の一方の端部からベース部材１の側壁部１２ａとの間に距離ｔ１０の把持用の空間７ａが形成される。
【００４５】
把持用の空間７ａと把持用の切り欠き６ｂは、指先を挿入して種類別基板２２を把持してスライドさせることが可能な大きさに形成されている。なお、種類別基板２２のスライド方向の長さは、図７（ｂ）の距離ｔ１、ｔ２、ｔ３が、第一実施例と同様の大きさに形成されている。
【００４６】
制御基板２の機種別基板２２を共通基板２１から取り外す場合、図７（ｂ）に示すように、把持用の切り欠き６ｂと把持用の空間７ａに指先を入れて機種別基板２２を把持し、スライド用の空間１０側にスライドさせることで、図７（ａ）に示すように、コネクタ部品（Ａ）２３ａ、コネクタ部品（Ｂ）２３ｂの接続を解除することができる。
【００４７】
図９及び図１０は本発明の制御装置の第四実施例を示すものである。第四実施例の制御装置は、図９（ａ）、（ｂ）に示すように基板ケース及び共通基板の構成は第一実施例と同じとし、種類別基板の構成（大きさ）のみが異なるように構成してなる。第四実施例の制御装置の種類別基板２２は図９（ｂ）に示すように、コネクタ部２３のスライド方向と直交する方向の距離ｔ４が、制御基板２がベース部材１に設置された状態で、種類別基板２２の基板外方端縁２９に隣接する両側端縁３４ａ、３４ｂ（図１０参照）とベース部材１の前記両側端縁３４ａ、３４ｂと対向する各側壁部１２ａ、１２ｂとの間に、夫々距離ｔ６、ｔ７の大きさに形成された把持用の空間７ａ、７ｂからなる指掛け部が形成されている。この構成は第二実施例と同じである。
【００４８】
更に図１０に示すように、種類別基板２２には、前記把持用の空間７ａ、７ｂに隣接する種類別基板２２の把持用空間側端部１８ａ、１８ｂに、把持用の切り欠き８ａ、８ｂが設けられている。図９（ｂ）に示すように、種類別基板２２と側壁部１２ａとの間の距離ｔ６と、種類別基板２２と側壁部１２ｂとの間の距離ｔ７が同じになるように、種類別基板２２がコネクタ部２３に接続されるように形成されている。前記長さｔ６及び長さｔ７は、指先を挿入して制御基板を把持してスライドさせることが可能な大きさに形成されている。また、種類別基板２２のスライド方向の長さは、図９（ｂ）の距離ｔ１、ｔ２、ｔ３が、第二実施例と同様の大きさに形成されている。
【００４９】
機種別基板２２を共通基板２１から取り外す場合、図９（ｂ）に示すように、把持用の空間７ａ、７ｂ及び切り欠き８ａ、８ｂの部分に指先を入れて、機種別基板２２を把持し、スライド用の空間１０側にスライドさせることで、図９（ａ）に示すように、コネクタ部品（Ａ）２３ａ、コネクタ部品（Ｂ）２３ｂの接続を解除することができる。把持用の空間７ａ、７ｂにより種類別基板２２を指で摘まむのが容易であることに加え、切り欠き８ａ、８ｂにより更に確実に種類別基板を指で保持することができる。
【００５０】
図１１及び図１２は本発明の制御装置の第五実施例を示すものである。第五実施例の制御装置は、図１１（ａ）、（ｂ）に示すように基板ケース及び共通基板の構成は第三実施例と同じとし、種類別基板の形状のみが異なるように構成してなる。第五実施例の制御装置の種類別基板２２は、図１２に示すように、種類別基板２２の側壁部１２ａとの間に把持用の空間７ａが形成される側の把持用空間側端縁１８ａに、把持用の切り欠き８ａが設けられている点のみが第三実施例と異なり、それ以外の構成は第三実施例と同じである。
【００５１】
図１１（ｂ）に示すように、種類別基板２２はコネクタ部２３のスライド方向と直交する方向の長さは、コネクタ部品（Ｂ）２３ｂの端部から種類別基板２２の一方の端部までの距離ｔ９が、コネクタ部品（Ｂ）２３ｂの端部から対応するベース部材１の側壁部１２ａまでの距離ｔ８よりも短くなるように形成され、種類別基板２２の一方の端部からベース部材１の側壁部１２ａとの間に距離ｔ１０の把持用の空間７ａが形成される。この構成は第三実施例と同じである。
【００５２】
把持用の空間７ａと把持用の切り欠き６ｂは、指先を挿入して種類別基板２２を把持してスライドさせることが可能な大きさに形成されている。なお、種類別基板２２のスライド方向の長さは、図７（ｂ）の距離ｔ１、ｔ２、ｔ３が、第一実施例と同様に形成されている。
【００５３】
機種別基板２２を共通基板２１から取り外す場合、図１１（ｂ）に示すように、把持用の空間７ａ及び切り欠き６ｂの部分に指先を入れて、機種別基板２２を把持し、スライド空間１０側にスライドさせることで、図１１（ａ）に示すように、コネクタ部品（Ａ）２３ａ、コネクタ部品（Ｂ）２３ｂの接続を解除することができる。把持用の空間７ａにより種類別基板２２を指で摘まむのが容易であることに加え、切り欠き８ａにより更に確実に種類別基板２２を指で保持することができる。
【００５４】
また上記実施例において、図４（ｂ）に示すように、共通基板２２と種類別基板２１のコネクタ部２３を接続した制御基板２の状態でベース部材１に設置した際に、種類別基板２２のスライド方向の距離ｔ１が、種類別基板２２の基板外方端縁２９とベース部材の側壁部１２ｃまでの距離ｔ２よりも、コネクタ部の差込のために必要な移動距離ｔ３の分だけ短く形成するのが好ましい。このように種類別基板２２のコネクタ部２３ｂから基板外方端縁２９までの距離を短くすることで、側壁部１２ｃとの間にスペースを確実に確保できるので、種類別基板２２をコネクタ部２３の離脱方向に移動させることができ、ベース部材１から種類別基板２２のみを取り外すのが容易にできる。
【００５５】
なお上記各実施例では、ベース部材１は側壁部により底面部の周囲が囲まれた状態に形成して、種類別基板２２の基板外方端縁２９側にスライド用の空間１０が形成されるようにしてスライドを妨げないように構成したが、種類別基板２２の基板外方端縁２９と対向する側壁部１２ｃを削除した形状に形成して種類別基板２２のスライドを妨げないように構成してもよい（特に図示しない）。この場合側壁部１２ｃが無いことで、該側壁部１２ｃ方向に種類別基板２２をスライド量の制限なく自由にスライドさせることができるから、側壁部１２と種類別基板２２との間に、コネクタ部２３の抜き差し用のスペースとなるスライド用の空間１０を設ける必要がない。その為、ベース部材１のスライド方向の大きさが、制御基板２のコネクタ部２３を接続してベース部材に制御基板を設置した状態の長さとほぼ同じ長さ、或いは、ベース部材の底部１１から制御基板２がはみ出さない程度の大きさとすることができる。またベース部材１は、側壁部１２ｃが全くない状態に形成してもよいが、側壁部１２ｃの高さが種類別基板２２のスライドを妨げない高さであればよく、その範囲内で側壁部１２ｃを設けてもよい。
【図面の簡単な説明】
【００５６】
【図１】本発明の第一実施例を示し、（ａ）は基板ケースを構成するベース部材の平面図であり、（ｂ）は（ａ）の斜視図である。
【図２】本発明の第一実施例を示し、（ａ）は制御基板の分解斜視図であり、（ｂ）は（ａ）の制御基板を接続した状態を示す平面図である。
【図３】本発明の第一実施例を示し、制御装置をカバー部材側から見た分解斜視図である。
【図４】本発明の第一実施例の、ベース部材に制御基板を取り付けた状態を示し、（ａ）は種類別基板の共通基板に対する接続を解除した状態を示す平面図であり、（ｂ）は種類別基板を共通基板に接続した状態を示す平面図である。
【図５】本発明の第二実施例の、ベース部材に制御基板を取り付けた状態を示し、（ａ）は種類別基板の共通基板に対する接続を解除した状態を示す平面図であり、（ｂ）は種類別基板を共通基板に接続した状態を示す平面図である。
【図６】図５の制御基板を示す平面図である。
【図７】本発明の第三実施例の、ベース部材に制御基板を取り付けた状態を示し、（ａ）は種類別基板の共通基板に対する接続を解除した状態を示す平面図であり、（ｂ）は種類別基板を共通基板に接続した状態を示す平面図である。
【図８】図７の制御基板を示す平面図である。
【図９】本発明の第四実施例の、ベース部材に制御基板を取り付けた状態を示し、（ａ）は種類別基板の共通基板に対する接続を解除した状態を示す平面図であり、（ｂ）は種類別基板を共通基板に接続した状態を示す平面図である。
【図１０】図９の制御基板を示す平面図である。
【図１１】本発明の第五実施例の、ベース部材に制御基板を取り付けた状態を示し、（ａ）は種類別基板の共通基板に対する接続を解除した状態を示す平面図であり、（ｂ）は種類別基板を共通基板に接続した状態を示す平面図である。
【図１２】図１１の制御基板を示す平面図である。
【符号の説明】
【００５７】
１  ベース部材
２  制御基板
３  カバー部材
６ａ、６ｂ  把持用の切り欠き
７ａ、７ｂ  把持用の空間
８ａ、８ｂ  把持用の切り欠き
１０  スライド用の空間
１１  ベース部材の底面部
１２ａ、１２ｂ、１２ｃ、１２ｄ  ベース部材の側壁部
２１  共通基板
２２  種類別基板
２３  コネクタ部
【図１】
2006129923.tif 000003
【図２】
2006129923.tif 000004
【図３】
2006129923.tif 000005
【図４】
2006129923.tif 000006
【図５】
2006129923.tif 000007
【図６】
2006129923.tif 000008
【図７】
2006129923.tif 000009
【図８】
2006129923.tif 000010
【図９】
2006129923.tif 000011
【図１０】
2006129923.tif 000012
【図１１】
2006129923.tif 000013
【図１２】
2006129923.tif 000014